(57)【要約】本発明は外科的手当を要しない自然に見えるヘアリプレースメント、すなわち婦人の頭髪消失部分を複製するようにデザインされた鬘に関する。この鬘はポリウレタン製強化部分を用いてデザインされた３／４型キャップあるいはフルキャップであり、この鬘を婦人の平均的な頭部サイズに適合させることが可能である。この鬘は、異なる形式の結び方、髪量あるいは髪の方向に適合させるため、種々の基礎材料を用いて種々部分に作製される。種々に及ぶ部分及び材料を用いることにより自然な髪の伸びを表現し、同時に着用性及び適合性を向上させることができる。カラーの選択によって、自然で最もポピュラーな色調及びドラマチックなカラー表現の双方を選ぶことが可能である。本発明のヘアリプレースメントは５〜１４種にそれぞれ選択色がブレンドされた異なるヘアカラー色調を有するため、光の反射により種々の色調及び濃淡が与えられる。このようなカラーブレンドを与えることにより、本発明に係る婦人用ヘアリプレースメントに最も自然な感じが付与される。
2009534545.tif 000002
【特許請求の範囲】
【請求項１】
コーティングされたレースから成る前部及び側部ヘアライン部分を備えて成る基底部から構成される婦人用ヘアリプレースメント。
【請求項２】
背部が強化された基底部から構成される婦人用ヘアリプレースメント。
【請求項３】
前記強化された背部がポリウレタンを用いて強化されていることを特徴とする請求項２記載のヘアリプレースメント。
【請求項４】
前記強化された背部が、ポリウレタンから成る水平な蹄鉄形ラインとタブによって強化されていることを特徴とする請求項２項記載のヘアリプレースメント。
【請求項５】
ヘアが頂部及び上側王冠部に十字パターンで結び付けられることを特徴とする婦人用ヘアリプレースメント。
【請求項６】
下側首筋部分の側面において、ヘアが首へ向けて結び付けられることを特徴とする婦人用ヘアリプレースメント。
【請求項７】
前部側面ヘアラインが、交互スプリット結び及び平結びのそれぞれを用いて、顔及び下方へ向けて結び付けられることを特徴とする婦人用ヘアリプレースメント。
【請求項８】
一定方向へ向かう破断を防止するため、異なる結び形式による部分が一緒に混ぜ合わされることを特徴とする婦人用ヘアリプレースメント。
【請求項９】
縫いつけが頂部においてはストライプパターンで為され、及び頂部以外のすべての部分ではダイアモンドパターンで為されることを特徴とする婦人用ヘアリプレースメント。
【請求項１０】
ヘアリプレースメントの前部ヘアラインが明るい色調に作られていることを特徴とする婦人用ヘアリプレースメント。
【請求項１１】
ヘアリプレースメントの特に頂部及び王冠部分が中間色調に作られ、及び特に首筋部分が暗い色調に作られることを特徴とする請求項１０項記載のヘアリプレースメント。
【請求項１２】
髪の根元を暗色とし、及び髪の先端を明色にして自然なブリーチ効果を模倣することを特徴とする婦人用ヘアリプレースメント。
【発明の詳細な説明】
【技術分野】
【０００１】
本発明は外科手術を必要としない頭髪用ヘアリプレースメント、すなわち婦人の頭髪消失部分を複製するようにデザインされたヘアリプレースメント、かつらに関する。
【背景技術】
【０００２】
男性用ヘアピース及びその製造方法は米国特許公開ＵＳ２００６／００８１２６７に開示がある。この文献は参照として本願に記載する。
【０００３】
しかし、婦人の場合、男性とは異なるパターンで髪が失われることが経験的に知られている。それゆえ、特に婦人のためにデザインされた高品質で、価格が手頃であり、かつ自然な感じを与えるヘアリプレースメントが必要とされている。
【発明の開示】
【発明が解決しようとする課題】
【０００４】
本発明は婦人の頭髪減少状態に対応して特別にデザインされたヘアリプレースメントに関する。このヘアリプレースメントは２種のデザイン、（ｉ）頭頂型あるいはは３／４キャップ型と（ｉｉ）フルキャップ型に作製されている。これらのデザインは双方とも、在庫／カタログ商品としてもカスタムメード商品としても製造可能である。３／４キャップ型デザインは、好ましくは頭頂部の頭髪が消失した婦人用にワンサイズの在庫型商品として扱われる。フルキャップ型デザインは、好ましくは３種サイズ、すなわち５４、５５、５６ｃｍが揃えられた在庫型商品として扱われる。これら２つのデザインは、婦人に起こり得る種々形態の頭髪喪失に対応して作製されている。フルキャップ型デザインは、円形脱毛症、無毛症、Alopecia universals等の最も厳しい状態にある頭髪喪失、さらに化学療法や放射線治療による頭髪喪失などを治療するために提供されるものである。
【０００５】
フルキャップ型は、婦人の平均的頭部サイズにヘアリプレースメントを合わせられるように調節可能な切断部分、すなわち「キー」を設けてデザインされる。これらキーは、切断し、適合させ、さらに縫製して最も良くフィットさせることができるポリウレタン材料を用いて作製される。このようなキーを設けることにより、ヘアリプレースメント作製者が婦人の頭部形状に合わせて必要に応じて部分を取り除き、あるいは付け足すことにより、フルキャップデザインを誂えることが可能となる。このような誂えが殆どの場合において婦人が待っている間に可能であれば婦人にとって極めて有益である。本発明によれば、殆どの場合、頭髪喪失に悩む婦人はデザインのために１度訪ねるだけでその悩みを解消することが可能であり、３／４キャップ型及びフルキャップ型のいずれについても待っている間に婦人の頭部形状と頭髪喪失部分に合わせてヘアリプレースメントを誂えることが可能である。従って、本発明によれば、最初の訪問で殆どの場合において適合する高品質のヘアリプレースメントを受け取ることが可能とされる。
【課題を解決するための手段】
【０００６】
材料としては入手可能なできる限り繊細な（ｆｉｎｅ）材料が用いられる。フルキャップ型の場合、好ましくは以下において述べる５つの異なる部分に異なる５種の材料が用いられる。異なる５種の材料を用いることにより、多種に及ぶ結び方、髪量、髪の向きを与えることが容易となる。種々部分や材料を使いることは、自然な髪の伸び、快適な着用感、適合性の付与に寄与している。双方のデザインに用いられる髪は好ましくは通常最も品質の良い髪の提供源として知られるインド人（Ｉｎｄｉａｎ）及びヨーロッパ人の細い髪の組合せである。好ましくは、髪は手にとって質、軟らかさ、輝き、ウエーブパターン、色などの面から選択される。
【０００７】
色の選択においては、天然の最も一般的な色合いを選択する場合と、最新先端的な劇的な色を選択する場合が挙げられる。カラーリングを用いることにより、婦人によるヘアカラーの選択幅が広げられ、またヘアリプレースメントが作製される。本発明のヘアリプレースメントには、ブレンドによって光の反射により、種々の色合いや色調の差が与えられるようにブレンドされた５〜１４種の異なるヘアカラーシェードがある。このようなカラーブレンドによって、本発明に係る婦人用ヘアリプレースメントには最も自然な感じの外観が与えられている。
【０００８】
本発明は婦人に広く使用可能な高品質で、大量生産可能であり、かつ価格が手ごろなヘアリプレースメントを提供することを目的とする。
【０００９】
本発明はさらに、技量、細部に亘る注意、及び正確な髪の生長描写により、品質の優れる婦人用ヘアリプレースメントを大量生産によって提供することを目的とする。
【００１０】
本発明はさらに、安楽性及び耐久性に優れる婦人用ヘアリプレースメントを提供することを目的とする。
【００１１】
本発明はさらに、カスタムオーダーでの３／４型あるいはフルキャップの作製に通常６〜１２週間の待ち時間が要求されるのと異なり、最初の訪問で適合させることが可能な婦人用ヘアリプレースメントを提供することを目的とする。
【００１２】
本発明は猶さらに、背部に水平な蹄鉄形ポリウレタンライン及びポリウレタンタブあるいはキーが含まれて強化され、婦人の頭部に適合するようにこのポリウレタンを調節することが可能な婦人用ヘアリプレースメントを提供することを目的とする。
【００１３】
本発明はさらに、コーティングされたレースから成る前部及び側部ヘアライン部分が含まれる婦人用ヘアリプレースメントを提供することを目的とする。
【００１４】
本発明はさらに、髪が頂部と上側王冠部分で十字パターンに結ばれる婦人用ヘアリプレースメント、髪が首筋下側部分の側部で首へ向けて結ばれる婦人用ヘアリプレースメント、及び髪が交互スプリット結び・平結びを用いて前側ヘアライン部分において顔と下方へ向けて結ばれる婦人用ヘアリプレースメントを提供することを目的とする。
【００１５】
本発明はさらに、異なる結び部分をブレンドして一定方向に生ずる破損を防止することができる婦人用ヘアリプレースメントを提供することを目的とする。
【００１６】
本発明は猶さらに、インド人及びヨーロッパ人起源の髪を用いて柔軟効果と寿命保持性が与えられた婦人用ヘアリプレースメントを提供することを目的とする。
【００１７】
本発明はさらに、頂部においてはストライプパターンで、及び頂部を除く他のすべての部分ではダイアモンドパターンで縫いつけがなされることを特徴とする婦人用ヘアリプレースメントを提供することを目的とする。
【００１８】
本発明は猶さらに、ヘアリプレースメントの色合いが、前部ヘアラインにおいてより明るく、頂部及び王冠部分において中程度であり、そして首筋部分において暗くされていることを特徴とする婦人用ヘアリプレースメントを提供することを目的とする。
【００１９】
本発明は猶さらに、自然なブリーチング効果に似せるため、髪の根元をより暗色に、先端部をより明色にすることを特徴とする婦人用ヘアリプレースメントを提供することを目的とする。
【００２０】
本発明はさらに、髪が最も自然に見え、髪がさらに伸びているように見せるため、ブレンドされたヘアカラーから成ることを特徴とする婦人用ヘアリプレースメントを提供することを目的とする。
【００２１】
図１は背部から見た基底部の模式的表示である。本発明の好ましい実施態様によれば、頂部１７は小ホール（ｈｏｌｅ：すきま）から成るレースで作られ、王冠下側部分１５は大きなホールから成るレースで作られ、そして首筋部分は１３は中間の大きさのホールから成るレースから作られる。頂部１７の小さなホールレース、王冠下側部分１５の大きなホールレース、及び首筋部分１３の中形のホースレースは一本の縫い目ライン１８と一緒に縫い合わされ、また好ましい実施態様においては、前記小、中、大のホールレースそれぞれの間に一本ずつ、３本のスティッチライン１８が設けられる。側部から首筋１３に至る基底部にそってポリウレタン１０が並べられている。このポリウレタンには、仕上げられたヘアリプレースメントの着用及び変更を容易にするため、タブまたはキー１２が好ましくは３個設けられる。王冠下側部分１５には取り付けを可能とするための蹄鉄形のポリウレタンライン１４が設けられる。好ましい実施態様においては、締結形のポリウレタンライン１４が５個設けられる。これらポリウレタンライン１４は５個の蹄鉄形ポリウレタンラインのいずれのレベルにおいても切断可能である。ヘアリプレースメントには、その首筋部分１３の各コーナーにプリーツが設けられ、さらに適切に取り付けられるように首筋部分１３の底部に僅かな曲線部１９も設けられる。図１中の矢印はレースの列の方向を示し、基底部が作製される際、レースは頂部１７においては十字パターンに、王冠下側部分１５及び首筋部分１３の中心においては下方へ向い、さらに首筋部分１３の下側においては首方向へ一定角度で向かうように配置される。
【００２２】
図２は頂部から見た基底部の概略図である。蹄鉄形ポリウレタンライン１４は好ましくはヘアリプレースメントの前端から約２ｍｍのところで終わっている。頂部から見た場合、ヘアリプレースメントには、王冠下側１５に大形ホールレース、頂部１７に小形ホールレース、前部２０に軽量中形ホールレース、そして前端部２２に強化軽量中形ホールレースが設けられる。頂部１７上の小形ホールレースは、前部２０に設けられた軽量中形ホールレースへ二重のスティッチライン２４を用いて取り付けられる。前端部２２の強化軽量中形ホールレースは一本のジグザクスティッチ２８によってポリウレタン１０へ取り付けられる。好ましい実施態様においては、二本の扇形スティッチライン２６と一本のジグザグスティッチ２８がそれとわからない糸を用いてスティッチされる。
【００２３】
図３は側方から見た場合の基底部の概略図であり、図４は前方から見た場合の基底部の概略図である。図３及び４には、５本のポリウレタンライン１４、スティッチライン１８、二重スティッチライン２４、二重波形（ほたて貝の貝殻の先端状）スティッチライン２６、及び一本のジグザグスティッチライン２８が示されている。強化軽量中形ホールレースは完成されたヘアリプレースメント上のポリウレタン１０の下方約２ｍｍの位置で切り取られて微細な縁部が作製される。
【００２４】
図５〜８は縫いつけ及び密度、すなわち結び方及び結び方向の略説明図である。本発明のヘアリプレースメントの結び方は、１）ぴったりした、それとわからない効果を出すための単毛平結び、２）それとわからない結び方を用いて嵩と動きを出すための単毛分割結び、３）頭部へぴったりと結び目を配置させ、かつ仕上がりヘアリプレースメントへ重みを加えるための２本ヘア平結び、４）明るいヘアカラー用に嵩を調節するための、黒っぽいヘアほど直径が太くない３〜４本ヘア単結び、及び５）耐久性を得るための二重結びを組み合わせたものである。これに関連して、髪の動きにおける急激な破断を防止するため、結びパターンの方向変化は漸進的に為されなければならない。
【００２５】
図５は背部から見た場合の縫いつけ及び密度の略説明図である。首筋部下部５０においてはすべてのホール中において２本ヘア単一結びが為され、これら結び目は矢印で示すように真っ直ぐ下方へ向けられている。明るいヘアカラー、すなわちカラーレベル７（メディアムブロンド）及びそれより明るいカラーに関しては、明色系ヘアは細いため各ホール中には３〜４本のヘアが用いられる。首筋部５２の下方部分では、色に依存するが、結び目当たり同量のヘアが用いられ、前記結び目は首の側部に対して４５°の角度で向けられ、ショートヘアスタイルの場合でも髪がこの部分においてフラットかつ自然に整えられることが確保されている。首筋部５４の上側部分は、耐久性のため二重結びを用いてすべての第二ホールに２本ヘアが含まれて作製されており、またこれらのヘアは真っ直ぐ下方へ結ばれている。首筋部５６の上方側部ではすべてのホールが２本ヘア平結び（明るい色の髪の場合は３〜４本）によって作製されており、またこれらのヘアは僅かに耳の方へ角度を成して（約１０°）真っ直ぐ下方へ結ばれている。下側首筋部分５８は単一平結びに構成され、十字パターンで結ばれている。王冠下側部分５９の中央においては、一番下のポリウレタンライン１４から三番目のポリウレタンライン１４まで、ヘアは二重結びを用いてすべての第二ホール中には２本ヘア（明るい色の髪の場合は３本ヘア）が用いられて真っ直ぐ下方へ結ばれている。王冠下側部分５９の中央においては、３番目のポリウレタンライン１４から５番目のポリウレタンライン１４まで、すべての第二ホール中には２本ヘア（明るい色の髪の場合は３〜４本ヘア）が用いられ、それらヘアは１列が真っ直ぐ下方へ、次の列が右の方へ、さらに次の列が左の方へと向かうパターンで、５番目のポリウレタンライン１４の直ぐ上までこれらの方向を交互に代えながら結ばれている。
【００２６】
図６は側方から見た場合の縫いつけ及び密度の略説明図である。耳湾曲部上側部分６０では、ヘアは２本ヘア（明るい色の髪の場合は３本）平結びを用いて耳へ向かって下方へ結ばれている。耳上側部分６２では、すべてのホール中においてヘアは２本ヘアを用いて二重結びで結ばれており、またこれらのヘアは真っ直ぐ下方へ向けられている。最も下のポリウレタンライン１４から３番目のポリウレタンライン１４まで、ヘアは二重結びを用いて全ての第二ホール中に２本ヘア（明るい色の髪の場合は３本ヘア）が用いられ、これらヘアは真っ直ぐ下方へ結ばれている。３番目のポリウレタンライン１４から５番目のポリウレタンライン１４まで、ヘアは全ての第二ホール中において２本ヘア（明るい色の髪の場合は３〜４本ヘア）であり、これらヘアは１列が真っ直ぐ下方へ結ばれ、次の列が顔へ向かって結ばれ、及びこれら方向が５番目のポリウレタンライン１４の直ぐ上まで交互に繰り返されるパターンで結ばれている。好ましい実施態様に従って、５番目のポリウレタンライン１４上方の最後の列は、でこぼこなラインを作り出して頂部１７へ適切に移行するよう確保するためジグザグパターンで終わっている。
【００２７】
図７は上部から見た場合の縫いつけ及び密度の略説明図である。所望される髪の豊かさに依存して１本のジグザグスティッチライン２８の後方約２ｍｍから異なる３つの密度部分が始まるように設けられる。
【００２８】
密度１（フル）：平結びだけを用いて、全てのホールに２本ヘア（明るい色の髪の場合は３〜４本）が結び付けられる。これにより、豊かなヘアと少ない動き（主に真っ直ぐでなめらかなスタイル）を望む婦人にとって極めて豊かな頭頂部が作製される。
【００２９】
密度２（メディアム・フル）：１本ヘアスプリット結びと２本ヘア平結びが交互に行われる。これにより、自然な動きあるが膨らみがなく、長く重ねたヘアスタイルの婦人あるいは自然な弾力あるカール質の婦人に適するメディアム・フル密度が作製される。
【００３０】
密度３（メディアム）：１本ヘアがスプリット結びだけを用いて結びつけられる。これにより、嵩はあるが軽量で、持ち上げても重くない鬘が作製される。この密度は細い髪の婦人あるいは子供に適している。
【００３１】
頂部１７上ではすべてについて、及び１本ジグザグスティッチライン２８の後方約２ｍｍまでの部分では、ヘアは１列を右側に、また１列を左側へと交互に変えながら十字パターンに結ばれている。側部、頂部及び前部間での移行部分６４には隙間があってはならず、好ましくはジグザグパターンと適合して、頂部、側部及び背部間への移行が滑らかになるように確保される。
【００３２】
図８は前部から見た場合の縫いつけ及び密度の略説明図である。前部８０においては、レースのすべてのホールに２本ヘア（または３本）が真っ直ぐ下方へ向けて結び付けられ、背部の中形及び大形二重結びへ連結されている。前方側端部８２では、各ホールに１本ヘアが平結びとスプリット結びで交互に結ばれている。平結びは真っ直ぐ下方へ向けられ、スプリット結びは顔へ向かうように結ばれる。好ましくは、側面はジグザグパターンで終わっている。前方中央部８４においては、スプリット結びを行うと同時に１本ヘアが結ばれ、これらヘアは十字パターン（１列は左、１列は右）で前頭方向へ向けて結ばれる。この部分における頂部１７十字パターンとの接続部分には傷があったり、隙間があってはならない。前方中央端部８６（ポリウレタンラインを過ぎて約２ｍｍ部分）においては、ヘアはジグザグパターンに続く１本ヘアスプリット結びである。この技術を用いて、ヘアラインの周り全体に最も明るいフロントカラーを用いて自然であるが一様でないヘアラインが形成される。
【００３３】
図９〜１２は色を模式的に表した図である。本発明のカラーリングには下記特徴がある。（ｉ）すべてのカラーが所望される色調値に基づいて多色ストランドからブランドされていること、及び（ｉｉ）すべてのカラーが、自然な太陽によるブリーチング効果を模倣するため、より暗い根元（約３インチ）からより明るい色、特にレベル８（ライトブロンド）以上のよりブロンドの色合いの強い先端部へと段階的に配列されていることである。このような詳細のカラー構成とすることにより、本発明に係るヘアリプレースメントは最も自然に見えるようになる。結び方をダイアモンドパターンとすることも可能であり、自然に伸びた髪のように多様なハイライト効果及び低明度効果を得ることが可能である。
【００３４】
図９は背部から見たときの色を模式的に表わした図である。首筋部分は、最も暗いカラー９０が約７５％と中間カラー９２が約２５％のブレンドであり、自然な効果を出すために明るいカラー９４は含まれておらず、首筋部分下側にはより暗いヘアカラーが用いられている。これらのカラーはダイアモンド形状に縫いつけされ、交互に配置されている。中央背部において、約４０〜４５％は最も暗いカラー９０、約４５〜５０％は中間のカラー９２、そして１０数％は明るいカラー９４である。これらのカラーが交互に配置されて同様なダイアモンドパターンが形成されている。一定のフロントカラー９４を用いて色の途切れが防止されている。背部上方は、約１０〜２５％の最も暗いカラー９０、約５０〜６０％の中間カラー９２、及び２５〜３０％の明るいカラー９４から構成されている。すべての他の部分と同様なダイアモンドパターンになっているが、頂部から背部へと色が途切れず続くように全体的なカラー効果は徐々に明るくなるように作製されている。
【００３５】
図１０は側面から見たときの色を模式的に示した図である。側面にも背部に用いられたものと同様な技法が取り入れられている。好ましい実施態様に従って、頂部と適切に調和させるため縁部分は一様とならないように作製されている（ダイアモンド先端形状）。
【００３６】
図１１は頂部から見たときの色を模式的に示した図である。頂部全体１７が中間カラーヘアと明るいカラーヘアが交互に並ぶストライプパターンに作製されている。好ましい実施態様に従って、ストライプパターンは王冠部において中間カラー１０列と明るいカラー５列から始まり、次いで明るいカラー１０列と前部ヘアラインにより近い中間カラー５列へと移行している。
【００３７】
図１２は前方から見たときの色を模式的に示した図である。前端部は明るいカラーだけで作製されているため、縁部分が自然な柔らかい感じになっている。好ましい実施態様においては、前端部１２０はレザーカットされ、そのためヘアライン周囲は所謂「ベイビーヘア」に似た状態に作製されている。
【００３８】
当然のことであるが、望まれる効果に基づいてカラーパターンを変更することが可能である。例えば、片側に大きな黒のすじが望まれる場合には、その所望される効果を得るためにカラーパターンは変更されなければならない。以下にカラーブレンドの例をいくつか示す。以下に示す実施例において、カラー番号はサロンにおいて用いられる国際ヘアカラー番号に基づいた番号である。
【発明を実施するための手段】
【００３９】
実施例１
Ｎシリーズ（自然またはニュートラル）の色調は、ニユートラルベースでのＮＧあるいはＮＡ色調に匹敵する。これらの色調の範囲は１Ｎ（ブラック）から１０Ｎ（最も薄いナチュラルブロンド）にまで亘る。
【００４０】
１）１Ｎ−背部用：カスタム・ブレンドカラー１
２）１Ｎ−頂部用：オリジナル１＋１０％１Ｂ
３）１Ｎ−前部用：オリジナル１＋１０％１Ｂ＋１０％ロシアブレンド５
【００４１】
４）１ソフト−背部用：カスタム・ブレンド・オリジナルカラー１Ｂ
５）１ソフト−頂部用：オリジナル１Ｂ＋１０％オリジナル１＋２０％ロシアブレンド５
６）１ソフト−前部用：オリジナル１Ｂ＋１０％オリジナル１＋３０％ロシアブレンド５＋１０％ロシアブレンド６
【００４２】
７）２Ｎ−背部用：カスタム・ブレンド・マッチ・オリジナル２
８）２Ｎ−頂部用：オリジナル２＋１０％オリジナル１Ｂ＋２０％ロシアブレンド５
９）２Ｎ−前部用：オリジナル２＋１０％オリジナルＢ＋２０％ロシアブレンド５＋１０％ロシアブレンド６＋１０％ロシアブレンド７
【００４３】
１０）３Ｎ−背部用：カスタム・ブレンドされたマッチ・オリジナル３
１１）３Ｎ−頂部用：オリジナル３＋２０％オリジナル１Ｂ＋３０％ロシアブレンド５＋１０％ロシアブレンド６
１２）３Ｎ−前部用：オリジナル３＋１０％オリジナル１Ｂ＋３０％ロシアブレンド５＋２０％ロシアブレンド６＋１０％ロシアブレンド７
【００４４】
１３）４−Ｎ（４ＮＧ）−背部用：背部用カラー４＋３００％４Ｇミックス
１４）４−Ｎ（４ＮＧ）−頂部用：頂部用カラー４＋２００％４Ｇミックス
１５）４−Ｎ（４ＮＧ）−前部用：前部用カラー４＋２００％４Ｇミックス
【００４５】
１６）５Ｎ−背部用：５０％オリジナル・インド５＋５０％オリジナル・ロシア５〜マッチ・オリジナルカラー５
１７）５Ｎ−頂部用：インド／ロシア・ブレンド５＋１０％１Ｂ＋３０％ロシア・ブレンド６＋５％ロシア・ブレンド７＋５％ロシア・ブレンド８
１８）５Ｎ−前部用：インド／ロシア５＋１０％１Ｂ＋３０％ロシア・ブレンド６＋１０％ロシア・ブレンド７＋１０％ロシア・ブレンド８
【００４６】
１９）６Ｎ−背部用：４０％オリジナル・インド６＋４０％オリジナル・ロシア・ブレンド６〜マッチ・オリジナル６
２０）６Ｎ−頂部用：１／Ｒ６＋１０％１Ｂ＋３０％ロシア・ブレンド７＋２０％ロシア・ブレンド８
２１）６Ｎ−前部用：インド／ロシア６＋１０％１Ｂ＋４０％ロシア・ブレンド７＋３０％ロシア・ブレンド
【００４７】
２２）７Ｎ−背部用：２０％オリジナル・インド７＋８０％オリジナル・ロシア・ブレンド７〜マッチ・オリジナル７
２３）７Ｎ−頂部用：インド／ロシア７＋１０％オリジナル４Ａ＋５０％ロシア・ブレンド８
２４）７Ｎ−前部用：インド／ロシア７＋１０％オリジナル４Ａ＋８０％ロシア・ブレンド８
【００４８】
２５）８Ｎ−背部用：２０％オリジナル・インド８＋８０％オリジナル・ロシア・ブレンド８〜マッチ・オリジナル８
２６）８Ｎ−頂部用：１／Ｒ８＋１０％着色６Ａミックス＋５０％ロシア・ブレンド９Ａ
２７）８Ｎ−前部用：インド／ロシア８＋１０％ナチュラルロシア７＋６０％ロシア・ブレンド９Ａ＋１０％ロシア・ブリーチ処理１０Ｎ
【００４９】
２８）９Ｎ−背部用：１０％オリジナル・インド９＋９０％オリジナル・ロシア・ブレンド９〜マッチ・カラー２２
２９）９Ｎ−頂部用：インド／ロシア９＋１０％ロシア・ブレンド７＋５０％ロシア・ブレンド９Ａ＋１０％ロシア・ブリーチ処理１１Ｗ
３０）９Ｎ−前部用：インド／ロシア９＋１０％ロシア・ブレンド７＋７０％ロシア・ブレンド９Ａ＋２０％ロシア・ブリーチ処理１１Ｗ
【００５０】
３１）１０Ｎ−背部用：９Ｎ−頂部用／２部＋９Ｎ−前部用／１部＋１４／１部
３２）１０Ｎ−頂部用：９Ｎ−頂部用／１部＋９Ｎ−前部用／１部＋１４／１部＋９Ａ／７ＡＢ−Ａ／１部
３３）１０Ｎ−前部用：１０Ｎ−頂部ブレンド／１部＋ロシアブリーチブロンド１／１部
【００５１】
実施例２
ＮＡシリーズ（自然な灰色）：
このシリーズはＮシリーズに比較して下地色調においてよりクールである。このシリーズの範囲は５−ＮＡ（ライトナチュラルアッシュブラウン）から９−ＮＡ（ペールナチュラルアッシュブロンド）にまで亘る。
【００５２】
１）５ＮＡ−背部用：背部用カラー５＋２００％ロシア５Ａミックス＋１０％１Ｂ
２）５ＮＡ−頂部用：頂部用カラー５＋２００％ロシア５Ａミックス＋１０％１Ｂ
３）５ＮＡ−前部用：頂部用カラー５＋１００％５Ａミックス
【００５３】
４）６ＮＡ−背部用：背部用カラー６＋２００％６Ａミックス＋１０％１Ｂ
５）６ＮＡ−頂部用：頂部用カラー６＋２００％６Ａミックス
６）６ＮＡ−前部用：前部用カラー６＋１００％６Ａミックス
【００５４】
７）７ＮＡ−背部用：背部用カラー７＋２００％７Ａミックス＋１０％１Ｂ
８）７ＮＡ−頂部用：頂部用カラー７＋２００％７Ａミックス
９）７ＮＡ−前部用：前部用カラー７＋１００％７Ａミックス
【００５５】
１０）８ＮＡ−背部用：背部用カラー８＋２００％８Ａミックス＋１０％６Ａミックス
１１）８ＮＡ−頂部用：頂部用カラー８＋２００％８Ａミックス
１２）８ＮＡ−前部用：前部用カラー８＋１００％８Ａミックス
【００５６】
１３）９ＮＡ−背部用：背部用カラー９＋１００％ロシア９Ａミックス＋１０％８Ａミックス
１４）９ＮＡ−頂部用：頂部用カラー９＋１０％ロシア８Ａミックス＋６０％ロシア・ブレンド９Ａ＋１０％ロシア・ブリーチ処理１１Ｗ
１５）９ＮＡ−前部用：前部用カラー９＋６０％ロシア９Ａミックス＋２０％ロシア・ブリーチ処理１１Ｗ
【００５７】
実施例３
ＮＧシリーズ：（ナチュラルゴールド）
このシリーズはＮシリーズと比較して下地色調が温かみのあるゴールデン調になっている。太陽の注がれた温かみ、あるいは夏のブロンド色調を得るための彩どりの基調色として完全なシリーズである。このシリーズの範囲は５ＮＡ（ライトナチュラルゴールデンブラウン）から９ＮＧ（ペールナチュラルゴールデンブロンド）にまで亘る。
【００５８】
１）５ＮＧ−背部用：背部用カラー５＋２００％５Ｇミックス
２）５ＮＧ−頂部用：頂部用カラー５＋２００％５Ｇミックス
３）５ＮＧ−前部用：前部用カラー５＋２００％５Ｇミックス
【００５９】
４）６ＮＧ−背部用：背部用カラー６＋２００％６Ｇミックス
５）６ＮＧ−頂部用：頂部用カラー６＋２００％６Ｇミックス
６）６ＮＧ−前部用：前部用カラー６＋１００％６Ｇミックス
【００６０】
７）７ＮＧ−背部用：背部用カラー７＋２００％７Ｇミックス
８）７ＮＧ−頂部用：頂部用カラー７＋１００％７Ｇミックス
９）７ＮＧ−前部用：前部用カラー７＋１００％８Ｇミックス
【００６１】
１０）８ＮＧ−背部用：背部用カラー８＋２００％８Ｇミックス
１１）８ＮＧ−頂部用：頂部用カラー８＋１００％８Ｇミックス
１２）８ＮＧ−前部用：前部用カラー８＋１００％８Ｇミックス
【００６２】
１３）９ＮＧ−背部用：背部用カラー８＋２００％８Ｇミックス＋１０％ロシア１１Ｗ
１４）９ＮＧ−頂部用：頂部用カラー８＋１００％８Ｇミックス＋２０％ロシア１１Ｗ
１５）９ＮＧ−前部用：前部用カラー８＋１００％８Ｇミックス＋３０％ロシア１１Ｗ
【００６３】
実施例４
ＧＧシリーズ：
ＧＧ（エクストラゴールド）は、Ｇミックスの含量を高め、かつ工場の婦人用ストックカラーリングからの種々ゴールデンカラーを添加することによって得たＮＧシリーズの高性能化版です。そのキャラメル色の下地色調は温かみに富んだハイライト効果とキャラメルブロンドを作るための完全なベースとなる。
【００６４】
１）４ＧＧ−背部用：４ＮＧ背部用カラーを使用
２）４ＧＧ−頂部用：４ＮＧ頂部用／１部＋Ｇミックス５／１部
３）４ＧＧ−前部用：４ＧＧ頂部用／２部＋４ＮＧ前部用／２部＋Ｇミックス６／１部
【００６５】
４）５ＧＧ−背部用：５ＮＧ背部用を使用
５）５ＧＧ−頂部用：５ＮＧ頂部用／１部＋Ｇミックス５／１部
６）５ＧＧ−前部用：５ＧＧ頂部用ミックス／２部＋５ＮＧ前部用／２部＋Ｇミックス６／１部
【００６６】
７）６ＧＧ−背部用：６ＮＧ背部用を使用
８）６ＧＧ−頂部用：６ＮＧ頂部用／２部＋６ＧＧ背部用／１部＋Ｇミックス６／１部＋Ｇミックス７／１部
９）６ＧＧ−前部用：６ＧＧ頂部用／２部＋Ｇミックス７／１部
【００６７】
１０）７ＧＧ−背部用：７ＮＧ背部用
１１）７ＧＧ−頂部用：７ＮＧ頂部用／２部＋７ＮＧ前部用／１部＋Ｇミックス７／２部
１２）７ＧＧ−前部用：７ＧＧ頂部用／２部＋Ｇミックス７／１部
【００６８】
１３）８ＧＧ−背部用：８ＮＧ背部用／１部＋Ｇミックス７／１部
１４）８ＧＧ−頂部用：８ＮＧ頂部用／２部＋Ｇミックス７／１部＋Ｇミックス８／１部
１５）８ＧＧ−前部用：８ＧＧ頂部用／２部＋Ｇミックス８／１部
【００６９】
１６）９ＧＧ−背部用：９ＮＧ背部用カラーを使用
１７）９ＧＧ−頂部用：９ＮＧ頂部用／１部＋Ｇミックス８／１部＋２７／１部
１８）９ＧＧ−前部用：９ＧＧ頂部用／２部＋新混合色調ブロンド１／１部
【００７０】
実施例５
ＧＫシリーズ（ゴールデンカッパー）は男性用リングのアイリッシュレッドシリーズと同等なシリーズである。明るくよりファッション性のあるＫＧあるいはＫＫよりもさらに自然に伸びたレッドヘアに見せるための完全なシリーズである。本シリーズの範囲は６ＧＫ（ダークゴールデンカッパーブロンド）から９ＧＫ（ペールゴールデンカッパーブロンドまたはストロベリー）にまで亘る。全体的外観は自然的であってファッション的ではない。
【００７１】
１）６ＧＫ−背部用：６Ｋ背部用／１部＋Ｇミックス６／１部＋７ＫＲ−Ａ／１部
２）６ＧＫ−頂部用：６Ｋ頂部用／１部＋Ｇミックス６／１部＋７ＫＲ−Ａ／１部
３）６ＧＫ−前部用：６Ｋ前部用／２部＋Ｇミックス７／２部＋７ＫＲ−Ａ／１部
【００７２】
４）７ＧＫ−背部用：７Ｋ／１部＋７ＫＲ−Ａ／１部＋３３Ｄ／１部
５）７ＧＫ−頂部：７Ｋ頂部用／１部＋７ＫＲ−Ａ／１部＋３３Ｄ／１部
６）７ＧＫ−前部用：７ＫＨ前部用／１部＋Ｇミックス７／１部＋７ＫＲ−Ａ／１部＋Ｇミックス８／１部
【００７３】
７）８ＧＫ−背部用：７Ｋ頂部用／１部＋Ｇミックス８／１部＋３３Ｄ／１部
８）８ＧＫ−頂部用：７Ｋ頂部用／１部＋Ｇミックス８／１部＋３３Ｄ／１部
９）８ＧＫ−前部用：７Ｋ前部用／１部＋８ＧＢ／７ＮＢ／Ｂ／１部＋Ｇミックス８／１部
【００７４】
１０）カラー９ＧＫを用いると髪の根元が僅かに濃くなって自然な感じが強調される。このカラーブレンドに用いられるロシア人ヘアはカラー「ＦＸブロンドＧ」のベースとなっている。
１１）９ＧＫ−背部用：ＦＸブロンドＧ背部用／１部＋８ＧＢ／７ＮＢ／Ｂ／１部
１２）９ＧＫ−頂部用：ＦＸブロンドＧ頂部用／２部＋Ｄ７Ｎ／４ＮＢ−Ｄ／１部
１３）９ＧＫ−前部用：ＦＸブロンドＧ前部用／２部＋７Ｎ／４ＮＢ／Ｄ／２部＋ニューブロンドミックス１／１部
【００７５】
実施例６
ＫＧシリーズ（カッパーゴールド）：
これらのカラーはゴールドよりもより銅色系であり、ＧＫシリーズよりもさらにファッション性が高い。このシリーズの範囲は６ＫＧ（ダークカッパーゴールドブロンド）から９ＫＧ（ペールカッパーゴールドブロンド）にまで亘る。
【００７６】
１）６ＫＧ−背部用：６Ｋ背部用／１部＋７ＫＲ／Ａ／１部＋３３／Ｂ／１部
２）６ＫＧ−頂部用：６Ｋ頂部用／２部＋７ＫＲ／Ａ／２部＋３３／Ｄ／１部＋３３Ｂ／１部
３）６ＫＧ−前部用：６Ｋ頂部用／２部＋７ＫＲ／Ａ／２部＋３３／Ｄ／１部＋３３Ｂ／１部
【００７７】
４）７ＫＧ−背部用：６Ｋ頂部用／１部＋７Ｋ背部用／１部＋７ＫＲ／Ａ／１部＋３３／Ｄ／１部＋ニューレッド１／１部
５）７ＫＧ−頂部：６Ｋ頂部／１部＋７ＫＲ／Ａ／１部＋３３／Ｄ／１部＋ニューレッド／１部
６）７ＫＧ−前部：６Ｋ前部／２部＋７ＫＲ／Ａ／１部＋３３／Ｄ／１部＋ニューレッド／１部
【００７８】
７）８ＫＧ−背部：６Ｋ頂部／１部＋７ＫＲ／Ａ／１部＋ニューレッド／１部＋２８／１部
８）８ＫＧ−頂部：６Ｋ前部／１部＋７ＫＲ／Ａ／２部＋７Ｎ／４ＮＢ／Ｄ／１部＋ニューレッド１／１部＋２８／１部
９）８ＫＧ−前部用：８ＫＧ頂部用／１部＋２８／１部＋７Ｎ／４ＮＢ／Ｄ／１部
【００７９】
１０）９ＫＧ−背部用：９ＮＧ背部用／２部＋Ｇミックス８／２部＋７Ｎ／４ＮＢ／Ｄ／２部＋２８／２部＋ニューレッド１／１部
１１）９ＫＧ−頂部用：９ＮＧ頂部用／２部＋Ｇミックス８／２部＋ニューブロンド２／１部＋ニューレッド１／１部＋２８／２部
１２）９ＫＧ−前部用：９ＮＧ／１部＋Ｇミックス８／１部＋ニューブロンド２／２部＋２８／２部
【００８０】
実施例７
ＫＮシリーズ（エクストラカッパー）：
これらのカラーはエクストラクリアカッパーレッドである。このシリーズの範囲は６ＫＫ（ダークエクストラカッパー）から８ＫＫ（ライトエクストラカッパー）にまで亘る。
【００８１】
１）６ＫＫ背部用：６Ｋ背部用／１部＋ニューレッドミックス３／２部
２）６ＫＫ頂部用：６Ｋ／１部＋ニューレッドミックス３／２部＋７ＫＲ／Ａ／１部
３）６ＫＫ前部用：６Ｋ前部用／１部＋２８／１部＋ニューレッドミックス３／２部
【００８２】
４）７ＫＫ背部用：７Ｋ背部用／１部＋ニューレッドミックス３／２部
５）７ＫＫ頂部用：７Ｋ頂部用／１部＋ニューレッドミックス３／２部＋７ＫＲ／Ａ／１部
６）７ＫＫ前部用：７Ｋ前部用／１部＋２８／２部＋ニューレッドミックス３／２部
【００８３】
７）８ＫＫ頂部用：７ＫＫ前部用／２部＋２８／２部＋ニューレッドミックス３／２部を使用
８）８ＫＫ背部用：７ＫＫ頂部用／２部＋２８／２部＋ニューレッドミックス３／１部を使用
９）８ＫＫ前部用：ニューレッドミックス３／１部＋２８／１部＋７ＫＲ／Ｂ／１部
【００８４】
１０）以下に述べるレッドは真にファッション的なレッドであり、自然なカラーを模倣するものではない。これらカラーはファッションを優先する顧客用のものである。
【００８５】
実施例８
Ｒ（ニュートラルレッド）：
この明るい純粋なレッドはレベル５〜６の基準に相当するものである。
１）６Ｒ背部用：ニューレッドミックス２／１部＋３３Ｂ／１部＋４ＲＢ／７ＮＢ／Ｂ／１部
２）６Ｒ頂部用：ニューレッドミックス２／２部＋３３Ｂ／１部＋４ＲＢ／７ＢＢ／１部
３）６Ｒ前部用：ニューレッドミックス／３部＋３３Ｂ／１部
【００８６】
実施例９
ＲＶ（レッドバイオレット）：
このブルゴーニュ風下地色調をもつ明るいレッドはレベル４〜５に相当する。
１）５ＲＶ背部用：ニューレッド４／２部＋４ＲＢ／７ＮＢＢ／２部＋ニューレッド２／１部
２）５ＲＶ頂部用：ニューレッド３／２部＋４ＲＢ／７ＮＢＢ／１部＋ニューレッド２／２部
３）５ＲＶ前部用：５ＲＶ頂部用／１部＋ニューレッド４／１部＋ニューレッド２／１部を使用。
【００８７】
実施例１０
ＲＢ（レディッシュブラウン）
レディッシュブラウンには濃いものと鮮やかなものの２種がある。３ＲＢはデーププラムレディッシュブラウンである。４ＲＢは銅を思わせる濃いとび色系ブラウンである。
【００８８】
１．３ＲＢ背部用：４ＲＢ／７ＮＢ／Ｄ／２部＋４ＲＢ／７ＮＢ／Ｃ／１部＋４ＲＢ／７ＮＢ／Ｂ／１部＋ニューレッドミックス４／１部
２．３ＲＢ頂部用：４ＲＢ／７ＮＢ／Ｄ／１部＋４ＲＢ／７ＮＢ／Ｃ／１部＋４ＲＢ／７ＮＢ／Ｂ／１部＋ニューレッドミックス４／１部
３．３ＲＢ前部用：４ＲＢ／７ＮＢ／Ｄ／１部＋４ＲＢ／７ＮＢ／Ｃ／２部＋４ＲＢ／７ＮＢ／Ｂ／１部＋ニューレッドミックス４／１部
【００８９】
４．４ＲＢ背部用：４ＲＢ／７ＮＢ／Ｃ／２部＋６Ｋ背部用／２部＋ニューミックスレッド１／１部
５．４ＲＢ頂部用：４ＲＢ／７ＮＢ／Ｃ／２部＋６Ｋ背部用／２部＋ニューレッドミックス１／１部＋ニューレッドミックス２／１部
６．４ＲＢ前部用：４ＲＢ／７ＮＢ／Ａ／１部＋６Ｋ背部用／２部＋ニューレッドミックス１／１部＋ニューレッドミックス２／１部
【００９０】
実施例１１
パステルブロンド及びクールブロンド
これらの２色は灰色の下地色調をもつペールクールブロンドである。
【００９１】
１．１１Ａ背部用：Ａ１９／２部＋Ａ２０／１部＋ＢＡ３３／１部＋Ｂ１３／１部
２．１１Ａ頂部用：Ａ１９／２部＋Ａ２０／２部＋ＢＡ３３／１部＋Ｂ１３／１部
３．１１Ａ前部用：Ａ２０／１部＋ＢＡ３３／１部＋Ｂ１３／３部
【００９２】
４．１２Ａ背部用：Ａ２０／２部＋ＢＡ３３／１部＋Ｂ１３／２部＋Ａ２２／２部
５．１２Ａ頂部用：Ａ２０／１部＋ＢＡ３３／１部＋Ｂ１３／２部＋Ａ２２／２部
６．１２Ａ前部用：Ａ２０／１部＋ＢＡ３３／１部＋Ｂ１３／３部＋Ａ２２／３部
【００９３】
実施例１２
ベージュブロンド
これらの２色はゴールドではなく、またクールでもない、よりニュートラルなベージュであるペールブロンドである。
【００９４】
１．１１Ｂ背部用：Ｂ９／１部＋ＢＡ３３／１部＋Ｂ１２／１部＋Ｂ１１／１部
２．１１Ｂ頂部用：Ｂ９／１部＋ＢＡ３３／１部＋Ｂ１２／２部＋Ｂ１１／２部
３．１１Ｂ前部用：Ｂ９／１部＋ＢＡ３３／１部＋Ｂ１２／３部＋Ｂ１１／３部
【００９５】
４．１２Ｂ背部用：Ｂ９／１部＋Ｂ１１／１部＋Ｂ１２／１部
５．１２Ｂ頂部用：Ｂ９／１部＋Ｂ１１／２部＋Ｂ１２／１部
６．１２Ｂ前部用：Ｂ９／１部＋Ｂ１１／３部＋Ｂ１２／２部
【００９６】
実施例１３
ゴールドブロンド
これらのブロンドは豊かなパステルゴールデンブロンドである。
【００９７】
１）１１Ｇ背部用：Ｙ３９／１部＋ＲＧ３５／５部＋Ｂ１１／５部＋Ｂ１２／１部
２）１１Ｇ頂部用：ＲＧ３５／１部＋Ｂ１１／１部＋Ｂ１２／１部
３）１１Ｇ前部用：ＲＧ３５／１部＋Ｂ１１／５部＋Ｂ１２／５部
【００９８】
４）１１ＧＫ背部用：Ｙ３９／２部＋ＲＧ３５／５部＋Ｇ３６／５部
５）１１ＧＫ頂部用：Ｙ３９／１部＋ＲＧ３５／４部＋Ｇ３６／５部
６）１１ＧＫ前部：ＲＧ３５／２部＋Ｇ３６／５部＋Ｂ１１／２部
【００９９】
以上本発明のいくつかの実施態様について説明したが、前記実施例は単に説明のための例示であって非限定的であることは当業者にとって明らかでなければなせない。上記構成の変更例及び他の実施態様も本発明の範囲内あるいは均等範囲内に含まれる。本発明の変形例を与えることは当業者にとって容易であり、そのような変形例も本発明に含まれるものである。
【０１００】
さらに、当業者によれば種々変形が容易に行われることから、本発明を上記説明及び図示した構成や実施に限定することを望むものではなく、あらゆる該当する変更及び均等発明は本発明範囲内に含まれると解することが可能である。
【図面の簡単な説明】
【０１０１】
【図１】背部から見た基底部の概略図である。
【図２】上部から見た基底部の概略図である。
【図３】側部から見た基底部の概略図である。
【図４】前部から見た基底部の概略図である。
【図５】背部から見たときの縫いつけ及び密度を模式的に表わした図である。
【図６】側部から見たときの縫いつけ及び密度を模式的に表わした図である。
【図７】頂部から見たときの縫いつけ及び密度を模式的に表わした図である。
【図８】前部から見たときの縫いつけ及び密度を模式的に表わした図である。
【図９】後方から見たとき色を模式的に表わした図である。
【図１０】側部から見たときの色を模式的に表わした図である。
【図１１】頂部から見たときの色を模式的に表わした図である。
【図１２】前部から見たときの色を模式的に表わした図である。
【図１】
2009534545.tif 000003
【図２】
2009534545.tif 000004
【図３】
2009534545.tif 000005
【図４】
2009534545.tif 000006
【図５】
2009534545.tif 000007
【図６】
2009534545.tif 000008
【図７】
2009534545.tif 000009
【図８】
2009534545.tif 000010
【図９】
2009534545.tif 000011
【図１０】
2009534545.tif 000012
【図１１】
2009534545.tif 000013
【図１２】
2009534545.tif 000014
【国際調査報告】
2009534545.tif 000015
2009534545.tif 000016
2009534545.tif 000017